(57)【要約】【課題】コネクタ部材の抜けを防止する付勢部材を、基板ケースに対して容易に取り付け可能とするとともに、付勢部材が破損した場合であっても、付勢部材のみを交換することにより容易に修復が可能となる遊技機を提供する。【解決手段】基板ケース３５の差込口６５より挿入した支持部材４７の両端部には、挿入部７８、７９が形成され、内部に支持部材４７の長さ方向に貫通して設けられた挿入口７６、７７が形成されている。また、挿入口７６、７７に横方向から挿入される付勢部材４６は、略長方形状の板状部材で、右端部から左方向へと幅方向の中央部に各配線４５が挿通される切欠部８０が形成され、上側付勢部材８１と下側付勢部材８２とに分割されて、その先端部に爪部８３、８４がそれぞれ形成されている。また、爪部８３、８４が形成された逆方向の端部には、係合片８５が直角方向に折曲されて形成されている。【選択図】図４
2010046545.tif 000002
【特許請求の範囲】
【請求項１】
遊技機を制御する制御基板と、
前記制御基板を電気的に接続する配線と、
前記制御基板に設けられ、前記配線の少なくとも一方の端部に設けられたコネクタ部を着脱可能に接続するコネクタ端子と、
前記制御基板を収容する基板ケースと、
前記コネクタ端子に接続された前記コネクタ部を付勢する略細長板状の付勢部材と、
前記基板ケースの前記コネクタ端子に対向する側壁部に該コネクタ端子を挟むように立設されて、前記付勢部材を支持する一対の支持部材と、
前記一対の支持部材のそれぞれに設けられ、前記付勢部材が該支持部材の立設方向に対して直交する横方向より挿入されるとともに挿入された付勢部材を支持する貫通孔と、を備え、
前記付勢部材は、
挿入方向基端側に形成されて前記貫通孔の周縁部に当接する当接部と、
挿入方向先端から挿入方向に沿って切り欠かれて前記配線を引き出し可能な配線引出用切欠部と、
挿入方向両先端部から板厚方向に突出する側断面略三角形状で先端側に向かって斜めに傾斜する傾斜面が形成された一対の係止用爪部と、
を有し、
該付勢部材は、前記コネクタ部を前記コネクタ端子に接続した後に、一方の前記支持部材の貫通孔に横方向から挿入して前記配線引出用切欠部に前記配線を通過させつつ前記当接部が該貫通孔に当接するまで押し込むことによって、前記一対の係止用爪部が他方の前記支持部材の貫通孔の外側周縁部に係止されて、該コネクタ端子に対して電気的接続が維持されるコネクタ部の移動範囲内で、当該コネクタ部をコネクタ端子側へ付勢することを特徴とする遊技機。
【発明の詳細な説明】
【技術分野】
【０００１】
本発明は、遊技機を制御する制御基板に電気的に接続された配線が切断されないようにコネクタ部を付勢する付勢部材を有する遊技機に関し、特に付勢部材を基板ケースに設けられた挿入口に対して挿入することにより支持した遊技機に関するものである。
【背景技術】
【０００２】
パチンコ機、スロットマシン等の遊技機においては、一般に、回路基板を用いることにより大部分の装置を電子制御している。例えばパチンコ機では、遊技全般を統括制御する主制御基板、賞球又は貸球の払い出しを制御する払出制御基板、図柄表示器の図柄変動を制御する図柄制御基板、スピーカより発せられる音を制御する音制御基板等の多種類の回路基板が用いられている。これらの回路基板は、通常、機体の背面に取り付けられ、コネクタを介して接続した配線によって電源装置等と接続されている。それにより、電源装置等から各回路基板へ電源を供給したり、図柄表示器やスピーカより発する音声を遊技状態に応じて制御することが可能となっている。
しかしながら、回路基板と配線とはコネクタを介して着脱可能に接続されているので、トラック等による輸送中や、遊技店による遊技盤交換の際に回路基板に接続されたコネクタが外れて電気的に切断されてしまう虞があった。そこで、特開２００３−５２９９４号公報には、電源基板が内部に配置された電源基板ボックスのボックス蓋部前面下部に、コネクタを覆うコネクタカバー部材をネジで止着し、コネクタカバー部材の前部裏面が雌コネクタの配線引出面に当接するように構成することにより、雌コネクタの引き抜きを防止した遊技機が記載されている。
また、同様に特開２００３−５２９９４号公報には、電源基板からコネクタの上下側面にそれぞれ沿うように爪部材を立設して配置し、爪部材の先端に設けられた爪先によって雄コネクタに嵌着された雌コネクタの配線引出面を押さえることによって雌コネクタの引き抜きを防止した遊技機が記載されている。
【先行技術文献】
【特許文献】
【０００３】
特開２００３−５２９９４号公報（第５頁〜第７頁、図６〜図７）
【発明の概要】
【発明が解決しようとする課題】
【０００４】
しかしながら、前記特許文献１に記載されたコネクタカバー部材を設けた遊技機では、コネクタの抜けを防止するコネクタカバー部材がネジにより電源基板ボックスに固定されているので、電源基板に接続された配線を取り外す場合には、先ず、ドライバー等の工具を用いてコネクタカバー部材を電源基板ボックスから取り外し、その上で雄コネクタを電源基板に設けられた雌コネクタより引き抜く必要があった。従って、配線を取り外す必要がある際、具体的には装置のメンテナンスや、基板の交換等の作業の際等には、その作業が非常に煩雑となっていた。
また、電源基板に立設した爪部材によって引き抜きを防止する遊技機では、何らかの原因で爪部材が破損した場合には、電源基板全体を交換しなければならず、時間的及び金銭的な負担が大きくなっていた。
【０００５】
本発明は、前記従来の問題点を解消するためになされたものであり、コネクタ部材の抜けを防止する付勢部材を、特殊な工具等を必要とすることなく、基板ケースに対して容易に取り付け可能とするとともに、付勢部材が破損した場合であっても、付勢部材のみを交換することにより容易に修復が可能となる遊技機を提供することを目的とする。
【課題を解決するための手段】
【０００６】
前記目的を達成するため請求項１に係る遊技機は、遊技機を制御する制御基板と、前記制御基板を電気的に接続する配線と、前記制御基板に設けられ、前記配線の少なくとも一方の端部に設けられたコネクタ部を着脱可能に接続するコネクタ端子と、前記制御基板を収容する基板ケースと、前記コネクタ端子に接続された前記コネクタ部を付勢する略細長板状の付勢部材と、前記基板ケースの前記コネクタ端子に対向する側壁部に該コネクタ端子を挟むように立設されて、前記付勢部材を支持する一対の支持部材と、前記一対の支持部材のそれぞれに設けられ、前記付勢部材が該支持部材の立設方向に対して直交する横方向より挿入されるとともに挿入された付勢部材を支持する貫通孔と、を備え、前記付勢部材は、挿入方向基端側に形成されて前記貫通孔の周縁部に当接する当接部と、挿入方向先端から挿入方向に沿って切り欠かれて前記配線を引き出し可能な配線引出用切欠部と、挿入方向両先端部から板厚方向に突出する側断面略三角形状で先端側に向かって斜めに傾斜する傾斜面が形成された一対の係止用爪部と、を有し、該付勢部材は、前記コネクタ部を前記コネクタ端子に接続した後に、一方の前記支持部材の貫通孔に横方向から挿入して前記配線引出用切欠部に前記配線を通過させつつ前記当接部が該貫通孔に当接するまで押し込むことによって、前記一対の係止用爪部が他方の前記支持部材の貫通孔の外側周縁部に係止されて、該コネクタ端子に対して電気的接続が維持されるコネクタ部の移動範囲内で、当該コネクタ部をコネクタ端子側へ付勢することを特徴とする。
【０００７】
このような特徴を有する請求項１に係る遊技機では、制御基板と配線との電気的接続が切断されないように、コネクタ端子に対して電気的接続が維持されるコネクタ部の移動範囲内で、コネクタ部を付勢する略細長板状の付勢部材を、基板ケースのコネクタ端子に対向する側壁部に該コネクタ端子を挟むように立設された一対の支持部材のそれぞれに設けられた貫通孔に、該支持部材の立設方向に対して直交する横方向より挿入する。そして、付勢部材の挿入方向先端から挿入方向に沿って切り欠かれた配線引出用切欠部に配線を通過させつつ、この付勢部材の当接部が、貫通孔に当接するまで押し込むことによって、当該付勢部材の先端部に形成された一対の係止用爪部が他方の支持部材の貫通孔の外側周縁部に係止される。
【０００８】
これにより、基板ケースの側壁部に立設された一対の支持部材に支持される略細長板状の付勢部材によって、コネクタ部をコネクタ端子側へ付勢することができ、専用の工具等を必要とすることなく、付勢部材を用いて容易にコネクタ部が制御基板より外れることを防止することが可能である。従って、トラックの輸送中等に加わった衝撃によって配線が電気的に切断される虞がない。
また、付勢部材は、一対の支持部材に支持された際に、配線が通過する配線引出用切欠部を有するので、コネクタ部から引き出される配線に影響されることなく、確実にコネクタ部の配線引出面を付勢することができる。
更に、何らかの原因によって付勢部材が破損した場合であっても、付勢部材のみを交換すればよく、最小限の作業によってその修復が可能となる。
【図面の簡単な説明】
【０００９】
【図１】第１実施形態に係るパチンコ機全体を示した正面図である。
【図２】第１実施形態に係るパチンコ機全体を示した背面図である。
【図３】第１実施形態に係るパチンコ機の機構セット盤を示した斜視図である。
【図４】第１実施形態に係るパチンコ機の機構セット盤の特に基板ケース付近を示した分解斜視図である。
【図５】第１実施形態に係るパチンコ機の付勢部材を示した正面図である。
【図６】第１実施形態に係るパチンコ機の付勢部材を示した上面図である。
【図７】第１実施形態に係るパチンコ機の基板ケースを示した正面図である。
【図８】（ａ）基板ケースを機構セット盤に取り付ける前において、図７の線Ａ−Ａで基板ケースを切断した矢視断面図である。（ｂ）付勢部材の挿入後において、図７の線Ａ−Ａで基板ケースを切断した矢視断面図である。
【図９】図８の特にコネクタ部を拡大して示した断面図である。
【図１０】第２実施形態に係るパチンコ機の付勢部材を示した正面図である。
【図１１】第２実施形態に係るパチンコ機の付勢部材を示した上面図である。
【図１２】第２実施形態に係るパチンコ機の基板ケースを示した正面図である。
【図１３】第２実施形態に係るパチンコ機の基板ケースを示した正面図である。
【図１４】第３実施形態に係るパチンコ機の機構セット盤の特に基板ケース付近を示した分解斜視図である。
【図１５】第３実施形態に係るパチンコ機の基板ケースを示した正面図である。
【図１６】図１５の線Ｂ−Ｂで基板ケースを切断した矢視断面図である。
【図１７】図１６の特にコネクタ部を拡大して示した断面図である。
【発明を実施するための形態】
【００１０】
以下、本発明に係る遊技機をパチンコ機について具体化した第１実施形態乃至第３実施形態について図面を参照しつつ詳細に説明する。
【００１１】
（第１実施形態）
先ず、第１実施形態に係るパチンコ機全体の概略構成について図１及び図２に基づき説明する。図１は第１実施形態に係るパチンコ機を示した正面図、図２は第１実施形態に係るパチンコ機を示した背面図である。
【００１２】
図１及び図２に示すように、第１実施形態に係るパチンコ機は、所定量のパチンコ球を賞球として払い出す、いわゆる第１種パチンコ機で、一般にＣＲ機（カードリーディング機）と称され、パチンコ機１とカード式球貸機９とによって構成され、これらは対をなして設置される。パチンコ機１は、木製の外枠２に対して木製の内枠３が、内枠取付用ヒンジを構成する上ヒンジ４及び下ヒンジ５を介して外枠２に対して開閉自在に取り付けられている。そして、この内枠３のほぼ上半分の前側には、合成樹脂製の前面カバー部材６が左端縁部の上下を軸支されて開閉自在に取り付けられている。また、この前面カバー部材６のほぼ中央部には略円形の窓部７が開設され、この窓部７の外周縁部に形成されるガラス保持枠に装着された２枚のガラスを通して遊技領域を見ることができるように構成されている。また、前面カバー部材６の窓部７の上側及び両肩部には、フルカラーの発光ダイオード（ＬＥＤ）が内蔵され、「当たり」等の発生を報知したり、遊技中に光演出や遊技中のエラーを表示する電飾ランプ８が取り付けられている。
【００１３】
また、この前面カバー部材６の下側には、パチンコ球の払い出しを調節する払い出しソレノイド等が内装された賞球ケース１０を介して払い出される賞球を受ける上皿１１が合成樹脂製のプレート１２に配設されている。また、このプレート１２は、左端縁部の上下を軸支されて、前面カバー部材６を開放後、内側に設けられた不図示のレバーを下げることにより開放できるように取り付けられている。また、この上皿１１の中央前面部には、カード式球貸機９の操作ボタン１３及びカード残高表示装置（不図示）が設けられている。そして、その上皿１１の下には、下皿１４が配設される。また、上皿１１に連通する不図示の球送り機構を介して上皿１１のパチンコ球が操作ハンドル１５に連結された発射装置１６へ送られるよう構成されている。
【００１４】
また、この内枠３のほぼ中央部には遊技盤（図示せず）が着脱自在なように鉄板等の金属製の機構盤１８が取り付けられている。そして、この機構盤１８の裏側には合成樹脂製の機構セット盤２０が開閉自在に蝶番により取り付けられている。
また、パチンコ機１の裏側の背面上方部には、上方に開口した賞球タンク２１が機構セット盤２０に固定されている。賞球タンク２１の直上には補給装置２２が配設され、吐出部２２Ａが垂直に降りている。賞球タンク２１は、傾斜した底面に連通孔（図示せず）が形成され、その連通孔の下方にはパチンコ球を１列に整列流出し、賞球ケース１０にパチンコ球を送る通路を形成するタンクレール２３が取り付けられている。尚、賞球タンク２１は、機構セット盤２０の背面側上端縁部よりも少し下側に固定されているが、該賞球タンク２１の上端部を機構セット盤２０の背面側上端縁部の位置に合わせて固定してもよい。
【００１５】
また、賞球ケース１０へパチンコ球を案内する賞球案内部２４内には、タンクレール２３の下流側のパチンコ球を送る１列の賞球通路が形成されている。
また、賞球ケース１０内には、賞球案内部２４内の賞球通路を通過するパチンコ球を確認する球有り検出スイッチやパチンコ球の払い出しを調節する払い出しソレノイドが内装されている。そして、これら賞球タンク２１、タンクレール２３、賞球案内部２４、賞球ケース１０等により賞球及び貸球の払い出しシステムが構成されている。
そして、賞球ケース１０の下流側には排出部が形成され、入賞球を排出する入賞球排出通路２６及び下皿オーバーフロースイッチ（不図示）が内装された下皿排出路２７が下端部下方に形成されている。また、この下皿排出路２７を介して上皿１１から溢れた賞球を受けて下皿１４に案内する下部受皿ボックス２８が内枠３の裏側に取り付けられている。
【００１６】
また、タンクレール２３の下側には液晶表示装置（ＬＣＤ）等をカバーする合成樹脂製のセンターカバー３０が取り付けられている。そして、このセンターカバー３０の背面部内側には、ＬＣＤ等を駆動制御する表示制御基板３１、スピーカ等を駆動制御する音制御基板３２、及び電飾ランプ８等を駆動制御するランプ制御基板３３が取り付けられている。また、センターカバー３０の下側には、パチンコ機１の遊技動作を制御する主制御基板３４が内蔵される基板ケース３５が配設されている。また、この基板ケース３５の右下には電源基板３６が内蔵される電源基板ケース３７が配設されている。また、この電源基板ケース３７の上方に配設されるインターフェース基板３８とカード式球貸機９の背面のコネクタ３９とは、接続コード４０により相互に接続されている。
さらに、機構セット盤２０の上方角部（図２中、右上角部）には、中継基板４１が設けられている。この中継基板４１は、パチンコ機１とホールコンピュータをつなぐ基板である。
【００１７】
ここで、主制御基板３４、表示制御基板３１、音制御基板３２、ランプ制御基板３３、インターフェース基板３８、中継基板４１は電源基板３６に両端部にコネクタ部４３を設けた配線４４によって電気的に接続されている。それにより、各基板へパチンコ機１の制御に必要な各種電圧の直流電源が供給されている。
【００１８】
また、主制御基板３４は、表示制御基板３１、音制御基板３２、ランプ制御基板３３、インターフェース基板３８、中継基板４１の各サブ制御基板に対して電気信号の送信を行う為に、両端部にコネクタ部４３を設けた配線４５によって各サブ制御基板と電気的に接続されている。それにより、主制御基板は各サブ制御基板に対して指令を送信し、制御することが可能となる。
更に、主制御基板３４が内蔵された基板ケース３５には、主制御基板３４に接続された配線４５のコネクタ部４３を上方より被覆するように配置された付勢部材４６と、付勢部材４６の両端部を支持する支持部材４７が設けられている。これらの付勢部材４６、支持部材４７は、主制御基板３４に接続された配線４４、４５のコネクタ部４３が主制御基板３４から抜けないように保持するものである。尚、付勢部材４６、支持部材４７の詳細については後述する。
【００１９】
次に、機構セット盤２０の概略構成について図３に基づいて説明する。図３は第１実施形態に係る機構セット盤を示した斜視図である。
【００２０】
図３に示すように、機構セット盤２０は、機構盤１８に取り付けられた不図示の遊技盤の裏面に対向する部分に略四角形の開口部２０Ａが開設されている。また、開口部２０Ａの左側の背面部には、センターカバー３０を取り付けるための各取付ボス５０が裏側方向に立設され、この各取付ボス５０にはネジ孔が形成されている。
また、開口部２０Ａの上側の背面部には、左右方向にほぼ等間隔で断面略Ｌ字形の各係合爪５１が裏側方向に立設されている。また、開口部２０Ａの左右方向略中央部の上側の背面部には、取付ボス５２が立設され、この取付ボス５２にはネジ孔が形成されている。そして、タンクレール２３は、下端縁部が各係合爪５１によって支持されると共に、上端縁部の略中央部が取付ボス５２にネジ止めされて取り付けられている。
【００２１】
また、取付ボス５２の左右斜め上側の背面部には、各取付ボス５３が上下方向に２個ずつ裏側方向に立設され、この各取付ボス５３にはネジ孔が形成されている。そして、賞球タンク２１は、左右端縁部が各取付ボス５３にネジ止めされて取り付けられている。また、機構セット盤２０の上方角部（図３中、右上角部）には、正面視略横長四角形のリブ部５４が立設され、このリブ部５４上に中継基板４１が配設される。
また、開口部２０Ａの右側背面部には、各取付ボス５５が裏側方向に立設され、この各取付ボス５５にはネジ孔が形成されている。そして、各取付ボス５５を介して賞球案内部２４や賞球ケース１０が取り付けられると共に、入賞球排出通路２６や下皿排出路２７を形成するカバー部材がネジ止めされて取り付けられている。
【００２２】
次に、機構セット盤２０の特に基板ケース３５の構成について図４を用いて説明する。図４は第１実施形態に係る機構セット盤に取り付けられた基板ケースについて示した分解斜視図である。
【００２３】
図４に示すように基板ケース３５及び主制御基板３４がそれぞれ固定される機構セット盤２０には、上下側にそれぞれ２つ設けられた第１係止部６０と、左側に設けられた３つの第２係止部６１と、右側に設けられた２つの第３係止部６２とが設けられている。また、主制御基板３４をそれぞれ固定する為のネジ孔６４が対角線状に計４箇所設けられている。
【００２４】
一方、基板ケース３５の内面側には第１係止部６０、第２係止部６１、第３係止部６２とそれぞれ嵌合して、基板ケース３５を機構セット盤２０に固定する第１被係止部、第２被係止部、第３被係止部（図示せず）が設けられている。また、支持部材４７の２本の脚部４８が挿入される差込口６５が２箇所に形成されている。更に、差込口６５の下部には取付ボス６６が形成されている。取付ボス６６は内部にネジ孔６７が形成されており、差込口６５より挿入した支持部材４７の脚部４８を別途固定ネジ６８を用いて基板ケース３５に固定するものである。
また、基板ケース３５の上部には、主制御基板３４と基板ケース３５を機構セット盤２０に取り付けた際に、コネクタ端子７０をパチンコ機１の背面側に露出させるための通過孔７１が形成されている。
【００２５】
また、基板ケース３５内部に配置される主制御基板３４は、角部の４箇所に固定孔７２がそれぞれ設けられている。そして、ネジ７３を、主制御基板３４に設けられた固定孔７２を介して機構セット盤２０のネジ孔６４に固定する。それにより、主制御基板３４が機構セット盤２０に固定される。更に、主制御基板３４の上縁部には、配線４５の端部に設けられたコネクタ部４３を差し込むコネクタ端子７０が複数箇所（第１実施形態では３箇所）に設けられている。
【００２６】
コネクタ端子７０に一端が接続された配線４４、４５（図２、図３参照）は、他端が、表示制御基板３１、音制御基板３２、ランプ制御基板３３、電源基板３６、インターフェース基板３８、中継基板４１にそれぞれ接続されている。そして、電源基板３６に接続された配線４４により制御に必要な各種電圧の直流電源が主制御基板３４に供給される。一方、各サブ制御基板に接続された配線４５によって主制御基板３４は各種電気信号の送信を行い、各サブ制御基板に対して様々な指示情報を送信する。
【００２７】
また、支持部材４７は両端部に脚部４８を備え、更に脚部４８の下端部には固定孔７５がそれぞれ形成されている。ここで固定孔７５は、支持部材４７の脚部４８を基板ケース３５に設けられた差込口６５に挿入した際に、取付ボス６６に設けられたネジ孔６７と位置が重なるように構成されている。従って、脚部４８を差込口６５に挿入した後に、固定ネジ６８を基板ケース３５の裏側より固定孔７５に挿入して固定することで（図４参照）、支持部材４７を基板ケース３５に固定することができる。
【００２８】
また、支持部材４７の両端部には、脚部４８とともに内部に挿入口７６、７７が形成された挿入部７８、７９が形成されている。挿入口７６、７７は挿入部７８、７９に対して支持部材４７の長さ方向に貫通して設けられた長孔であり、付勢部材４６がそれぞれ両方の孔に挿入されることによって、付勢部材４６を基板ケース３５に対して支持するものである。そして、支持された付勢部材４６は、コネクタ端子７０に接続された配線４４、４５のコネクタ部４３が抜けないようにコネクタ端子７０に対して付勢する（図８（ｂ）参照）。
【００２９】
次に、前記支持部材４７に支持される付勢部材４６について説明する。図５は第１実施形態に係る付勢部材４６の正面図、図６は第１実施形態に係る付勢部材４６の上面図である。
【００３０】
図５及び図６に示すように第１実施形態に係る付勢部材４６は略長方形状の板状部材により形成されている。そして、図５中、右端部から左方向へと幅方向の中央部に大きく切欠部８０が形成され、上側付勢部材８１と下側付勢部材８２とに分割された２つの部材により基本的に構成される。更に、上側付勢部材８１、下側付勢部材８２はその先端部に爪部８３、８４がそれぞれ形成されている。また、爪部８３、８４が形成された逆方向の端部には、係合片８５が直角方向に折曲されて形成されている。
【００３１】
上記のように構成された付勢部材４６を支持部材４７に支持する際には、付勢部材４６を挿入部７８に形成された挿入口７６に対して垂直に挿入する。その際に、付勢部材４６は爪部８３、８４が設けられた側（図６中、右側）の端部より挿入口７６に挿入する。そして、コネクタ部４３の配線引出面８８（図９参照）から送出される配線４４、４５を上側付勢部材８１と下側付勢部材８２の間の切欠部８０に通過させつつ移動させる。爪部８３、８４が挿入部７９の挿入口７７に達した後に、更に付勢部材４６を押し込むことにより爪部８３、８４が挿入口７７を通過し、挿入が完了する。爪部８３、８４は挿入方向（図６、右側方向）に対しては挿入口７６、７７を通過しやすく、送出方向（図６、左側方向）に対しては挿入口７６、７７を通過し難くなるように傾斜面８９を有しているので、一旦最後まで挿入された付勢部材４６は、支持部材４７に対して外れ難くなっている。
一方、爪部８３、８４の逆位置に設けられた係合片８５は、挿入口７６を貫通することがないので、挿入が完了した付勢部材４６は係合片８５が挿入部７８と当接し、それ以上付勢部材４６が挿入方向（図６、右側方向）に対して移動することがない。
【００３２】
ここで、図７は付勢部材４６が挿入口７６、７７に対して挿入完了され、支持部材４７に支持された後の基板ケース３５を示す正面図である。更に、図８（ａ）及び（ｂ）は図７の線Ａ−Ａで基板ケース３５を切断した際の矢視断面図である。図９は図８（ａ）の特にコネクタ部を拡大して示した断面図である。
以下に、図７乃至図９を用いて配線４４、４５のコネクタ部４３を付勢部材４６により付勢する付勢構造について説明する。尚、電源基板３６に接続される配線４４と各サブ制御基板に接続される配線４５のコネクタ部４３に関する付勢構造は同じ構成であり、以下には配線４５のコネクタ部４３の付勢構造を例にして説明する。
【００３３】
図８（ａ）に示すように、支持部材４７は基板ケース３５を機構セット盤２０に固定する前に予め取り付けておく。その後、基板ケース３５と主制御基板３４を機構セット盤２０に対して固定する。そして、図８（ｂ）に示すように、配線４４、４５の各コネクタ部４３を主制御基板３４に設けられたコネクタ端子７０に接続し、支持部材４７に形成された挿入口７６、７７に対して前記したように付勢部材４６を挿入する。
【００３４】
挿入された付勢部材４６は、図７乃至図９に示すように上側付勢部材８１及び下側付勢部材８２の下面がコネクタ部４３の配線引出面８８とそれぞれ当接する。また、配線引出面８８より送出された配線４５は切欠部８０を通って、各サブ制御基板方向へと導かれる。
従って、外部から衝撃が加わったり、配線４５の引っかかり等の事態が生じた場合であっても、コネクタ端子７０に対して引き抜き方向（図９、上方向）に移動するコネクタ部４３は、上側付勢部材８１と下側付勢部材８２とにより差し込み方向（図９、下方向）に付勢される。従って、コネクタ部４３が、コネクタ端子７０より外れることなく、主制御基板３４と配線４５との電気的接続が切断されることがない。
【００３５】
以上、第１実施形態に係るパチンコ機では、付勢部材４６を支持部材４７に形成された挿入口７６、７７に対して挿入することにより、基板ケース３５に支持するとともに、支持された付勢部材４６は、配線４４、４５のコネクタ部４３がコネクタ端子７０より外れないように差し込み方向（図９、下方向）にコネクタ部４３を付勢するので、専用の工具等を必要とすることなく、付勢部材４６を用いて容易にコネクタ部４３が主制御基板より外れることを防止し、配線４４、４５の電気的切断がなされる虞がない。
また、付勢部材４６は、支持部材４７に支持された際に、配線４４、４５が通過する切欠部８０を有するので、コネクタ部４３より送出される配線４４、４５に影響されることなく、確実に配線引出面８８を付勢することが可能である。
更に、何らかの原因によって付勢部材４６が破損した場合であっても、付勢部材４６のみを交換すればよく、最小限の作業によってその修復が可能となる。
【００３６】
尚、本発明は前記第１実施形態の実施例に限定されるものではなく、本発明の要旨を逸脱しない範囲内で種々の改良、変形が可能であることは勿論である。
例えば、第１実施形態においては、挿入口７６、７７に挿入された付勢部材４６がコネクタ部４３の配線引出面８８に当接されるように構成されているが、付勢部材４６と配線引出面８８との間には一定の間隙が形成されていても良い。即ち、付勢部材４６は、コネクタ部４３をコネクタ端子７０に接続した際に、コネクタ端子７０に対して電気的接続が維持されるコネクタ部４３の移動範囲内で、コネクタ部４３を付勢する位置に支持されていれば良い。
従って、付勢部材４６と、コネクタ部４３との間に一定の間隙が形成されている場合であっても、その間隔が、コネクタ部４３が引き抜き方向（図９、上方向）に移動し、付勢部材４６と配線引出面８８とが当接した際に、コネクタ部４３の電気的接続が維持される距離の間隙であれば、配線４４、４５の電気的切断がなされる虞がない。
【００３７】
また、第１実施形態においては、主制御基板３４に接続される配線４４、４５のコネクタ部４３の抜けを防止する為に、基板ケース３５に対して付勢部材４６を設置したが、電源基板３６に接続された配線４４のコネクタ部４３の抜けを防止する為に電源基板ケース３７に付勢部材４６を設置しても良い。更には、表示制御基板３１、音制御基板３２等のサブ制御基板に接続される配線のコネクタ部４３を防止するようにセンターカバー３０等に設置しても良い。
【００３８】
（第２実施形態）
次に、第２実施形態に係るパチンコ機について図１０乃至図１３に基づいて説明する。尚、上記第１実施形態に係るパチンコ機１と同一符号は、上記第１実施形態に係るパチンコ機１と同一あるいは相当部分を示すものである。
この第２実施形態に係るパチンコ機の概略構成は、第１実施形態に係るパチンコ機１の構成とほぼ同じ構成である。但し、第２実施形態に係るパチンコ機の付勢部材の構成は、後述のように第１実施形態に係るパチンコ機１の付勢部材４６の構成と異なっている。
【００３９】
ここで、第２実施形態に係るパチンコ機の付勢部材９０の構成について図１０及び図１１に基づいて説明する。図１０は第２実施形態に係る付勢部材を示した正面図、図１１は第２実施形態に係る付勢部材を示した上面図である。
【００４０】
図１０及び図１１に示すように、第２実施形態に係る付勢部材９０は、第１実施形態に係る付勢部材４６と比較して、より長尺な形状となっている。そして、第１実施形態に係る付勢部材４６と同様に、図１０中、右端部から左方向へと幅方向の中央部に大きく切欠部９１が形成され、更に、中央部やや左側よりの位置には係合片９２が設けられている。そして、係合片９２を境にして、切欠部９１が形成される側（図１０中、右側）は、上側付勢部材９３と下側付勢部材９４とに分割された２つの部材により基本的に構成される。更に、上側付勢部材９３、下側付勢部材９４はその先端部に爪部９５、９６がそれぞれ形成されている。一方、切欠部９１が形成された反対側（図１０中、左側）は、平板部９７が設けられ、その平板部９７の先端部には、当接片９８が直角方向に折曲されて形成されている。
【００４１】
上記のように構成された第２実施形態に係る付勢部材９０を支持部材４７に支持する際には、付勢部材９０を挿入部７８に形成された挿入口７６に対して垂直に挿入する。図１２は付勢部材９０が各挿入口７６、７７に対して挿入完了され、支持部材４７に支持された後の基板ケース３５を示す正面図である。
ここで、前記したように支持部材４７が設けられた基板ケース３５は、機構セット盤２０に取り付けられている。そして、機構セット盤２０は、内枠３の裏側に機構盤１８を介して固定されている。更に、内枠３は、木製の外枠２に対して内枠取付用ヒンジを構成する上ヒンジ４及び下ヒンジ５を介して外枠２に対して開閉自在に取り付けられている（図１、図２参照）。
【００４２】
第２実施形態に係る付勢部材９０を挿入口７６に対して挿入する際には、外枠２に対して内枠３を開放した状態で挿入する。付勢部材９０は爪部９４、９５が設けられた側（図１２中、右側）の端部より挿入口７６に挿入され、コネクタ部４３の配線引出面８８から送出される配線４４、４５を上側付勢部材９３と下側付勢部材９４の間の切欠部９１に通過させつつ移動する。そして、爪部９４、９５が挿入部７９の挿入口７７に達した後に、更に付勢部材９０を押し込むことで爪部９４、９５が挿入口７７を通過する。爪部９４、９５は挿入方向（図１２、右側方向）に対しては挿入口７６、７７を通過しやすく、送出方向（図１２、左側方向）に対しては挿入口７６、７７を通過し難くなるように傾斜面９９を有しているので、一旦最後まで挿入された付勢部材９０は、支持部材４７に対して取り外し難くなっている。
一方、付勢部材９０の略中央部に設けられた係合片９２は、挿入口７６を貫通することがないので、挿入が完了した付勢部材９０は係合片９２が挿入部７８と当接し、それ以上付勢部材９０が挿入方向（図１２、右側方向）に対して移動することがない。
【００４３】
そして、前記のように付勢部材９０を支持部材４７に挿入した状態で内枠３を外枠２に対して閉鎖すると、付勢部材９０の一端に形成された当接片９８は、外枠２とＬ１（図１２参照）だけ離れた距離に位置する。また、その際にＬ１の距離は、挿入部７８の一辺と爪部９５、９６が形成された先端部との間の距離Ｌ２よりも短くなる。
それにより、何らかの衝撃が加わって付勢部材９０が挿入口７６、７７に対して送出方向に移動したとしても、図１３に示すように爪部９５、９６が形成された先端部が挿入口７７を抜ける前に当接片９８が外枠に対して当接する。したがって、それ以上、付勢部材９０が送出方向に移動することなく、支持部材４７より外れる虞がない。
【００４４】
従って、遊技店側等の手によって外枠２に対して内枠３を開放した際には、付勢部材９０を容易に取り外すことができ、一方、内枠３を閉鎖することによって付勢部材９０が支持部材４７より外れないように保持することができる。
【００４５】
以上、第２実施形態に係るパチンコ機では、付勢部材９０を支持部材４７に形成された挿入口７６、７７に対して挿入することにより、基板ケース３５に支持するとともに、支持された付勢部材９０は、配線４４、４５のコネクタ部４３がコネクタ端子７０より外れないように差し込み方向にコネクタ部４３を付勢するので、専用の工具等を必要とすることなく、付勢部材９０を用いて容易にコネクタ部４３が主制御基板より外れることを防止し、配線４４、４５の電気的切断がなされる虞がない。
また、何らかの原因によって付勢部材９０が破損した場合であっても、付勢部材９０のみを交換すればよく、最小限の作業によってその修復が可能となる。
更に、付勢部材９０の一端に形成された当接片９８が、付勢部材９０が送出方向に対して移動した際に外枠２に対して当接し、付勢部材９０が支持部材４７より抜けることを防止する。従って、パチンコ機１に衝撃等が加わった場合においても付勢部材９０が外れることなく、コネクタ部４３の抜けを確実に防止することができる。
【００４６】
尚、本発明は前記第２実施形態の実施例に限定されるものではなく、本発明の要旨を逸脱しない範囲内で種々の改良、変形が可能であることは勿論である。
例えば、第２実施形態においては、外枠２に対して内枠３を閉じた際に、当接片９８と外枠２との間にＬ１分の間隙が形成されることとしているが、当接片９８が外枠２に対して当接されるように構成しても良い。
【００４７】
（第３実施形態）
次に、第３実施形態に係るパチンコ機について説明する。尚、上記第１実施形態に係るパチンコ機１と同一符号は、上記第１実施形態に係るパチンコ機１と同一あるいは相当部分を示すものである。
この第３実施形態に係るパチンコ機の概略構成は第１実施形態に係るパチンコ機１の構成とほぼ同じ構成である。但し、第３実施形態に係るパチンコ機の支持部材１００及び付勢部材１１０の構成が、後述のように第１実施形態に係るパチンコ機１の構成と異なっている。
【００４８】
ここで、第３実施形態に係るパチンコ機の機構セット盤２０に取り付けられた基板ケース３５の概略構成について図１４に基づいて説明する。図１４は第３実施形態に係る機構セット盤の特に基板ケースについて示した分解斜視図である。
図１４に示すように、基板ケース３５及び主制御基板３４がそれぞれ固定される機構セット盤２０には、上下側にそれぞれ２つ設けられた第１係止部６０と、左側に設けられた３つの第２係止部６１と、右側に設けられた２つの第３係止部６２とが設けられている。また、主制御基板３４をそれぞれ固定する為のネジ孔６４が対角線状に計４箇所設けられている。
【００４９】
一方、基板ケース３５の内面側には第１係止部６０、第２係止部６１、第３係止部６２とそれぞれ嵌合して、基板ケース３５を機構セット盤２０に固定する第１被係止部、第２被係止部、第３被係止部（図示せず）が設けられている。また、支持部材１００の２本の脚部１０１が挿入される差込口６５が２箇所に形成されている。更に、差込口６５の下部には取付ボス６６が形成されている。取付ボス６６は内部にネジ孔６７が形成されており、差込口６５より挿入した支持部材１００の脚部１０１を別途固定ネジ６８を用いて基板ケース３５に固定するものである。
また、基板ケース３５の上部には、主制御基板３４と基板ケース３５を機構セット盤２０に取り付けた際に、コネクタ端子７０をパチンコ機１の背面側に露出させるための通過孔７１が形成されている。
【００５０】
また、基板ケース３５内部に配置される主制御基板３４は、角部の４箇所に固定孔７２がそれぞれ設けられている。そして、ネジ８３を、主制御基板３４に設けられた固定孔７２を介して機構セット盤２０のネジ孔６４に固定する。それにより、主制御基板３４が機構セット盤２０に固定される。更に、主制御基板３４の上縁部には、配線４５の端部に設けられたコネクタ部４３を差し込むコネクタ端子７０が複数箇所（第３実施形態では３箇所）に設けられている。
【００５１】
コネクタ端子７０に一端が接続された配線４４、４５は、他端が、表示制御基板３１、音制御基板３２、ランプ制御基板３３、電源基板３６、インターフェース基板３８、中継基板４１にそれぞれ接続されている。そして、電源基板３６に接続された配線４４により制御に必要な各種電圧の直流電源が主制御基板３４に供給される。一方、各サブ制御基板に接続された配線４５によって電気信号の送信を行い、各サブ制御基板に対して様々な指示情報を送信する。
【００５２】
また、支持部材１００は両端部に脚部１０１を備え、更に脚部１０１の下端部には固定孔１０２がそれぞれ形成されている。ここで固定孔１０２は、支持部材１００の脚部１０１を基板ケース３５に設けられた差込口６５に挿入した際に、取付ボス６６に設けられたネジ孔６７と位置が重なるように構成されている。従って、脚部１０１を差込口６５に挿入した後に、固定ネジ６８を基板ケース３５の裏側より固定孔１０２に挿入して固定することにより（図１４参照）、支持部材１００を基板ケース３５に固定することができる。
【００５３】
また、支持部材１００の両端部には、脚部１０１とともに内部に挿入口１０３、１０４が形成された挿入部１０５、１０６が形成されている。挿入口１０３、１０４は挿入部１０５、１０６に対して支持部材１００の高さ方向（図１４中、上方向）と長さ方向（図１４中、左右方向）に貫通して設けられており、付勢部材１１０がそれぞれ両方の孔に挿入されることによって、付勢部材１１０を基板ケース３５に対して支持するものである。そして、支持された付勢部材１１０は、コネクタ端子７０に接続された配線４４、４５のコネクタ部４３を抜けないようにコネクタ端子７０に対して付勢するものである（図１６参照）。また、挿入部１０５、１０６の挿入口１０３、１０４入口付近には係合爪１０７が設けられており、挿入された付勢部材１１０を外れないように保持する機能を有する。
【００５４】
次に、前記支持部材１００に支持される付勢部材１１０について説明する。図１４に示すように第３実施形態に係る付勢部材１１０は略「コ」の字形状に成形された板状部材よりなる。そして、長さ方向中央部において大きく切欠部１１１が形成され、左右両端部に形成された略四角形状の挿入片１１２、１１３と、挿入片１１２、１１３を連結する連結部１１４とから構成される。
【００５５】
上記のように構成された付勢部材１１０を支持部材１００に支持する際には、挿入部１０５、１０６に形成された挿入口１０３、１０４に対して垂直に、付勢部材１１０を挿入する。その際に、挿入部１１２は挿入口１０３に挿入され、挿入部１１３は挿入口１０４に挿入される。
挿入後においては、コネクタ部４３の配線引出面８８（図１７参照）から送出される配線４４、４５は切欠部１１１に位置する。挿入部１０５、１０６に形成された係合爪１０７は付勢部材１１０の挿入方向に対しては挿入口１０３、１０４を通過しやすく、送出方向に対しては挿入口１０３、１０４を通過し難くなるようになっているので、一旦最後まで挿入された付勢部材１１０は、支持部材１００に対して外れ難くなっている。
【００５６】
ここで、図１５は付勢部材１１０が挿入口１０３、１０４に対して挿入完了され、支持部材１００に支持された後の基板ケース３５を示す正面図である。更に、図１６は図１５の線Ａ−Ａで基板ケース３５を切断した際の斜視断面図である。図１７は図１６の特にコネクタ部を拡大して示した断面図である。
以下に、図１５乃至図１７を用いて配線４４、４５のコネクタ部４３を付勢部材１１０により付勢する付勢構造について説明する。尚、電源基板３６に接続される配線４４と各サブ制御基板に接続される配線４５のコネクタ部４３に関する付勢構造は同じ構成であり、以下には配線４５のコネクタ部４３の付勢構造を例にして説明する。
【００５７】
図１６に示すように、第３実施形態において付勢部材１１０によりコネクタ部４３を付勢する際には、先ず、配線４４、４５の各コネクタ部４３を主制御基板３４に設けられたコネクタ端子７０に接続し、支持部材１００に形成された挿入口１０３、１０４に対して前記したように付勢部材１１０を挿入する。
【００５８】
挿入された付勢部材１１０は、図１５乃至図１７に示すように連結部１１４の下面がコネクタ部４３の配線引出面８８と当接する。また、配線引出面８８より送出された配線４５は切欠部１１１を通って、各サブ制御基板方向へと導かれる。
従って、外部から衝撃が加わったり、配線４５が引っかかる等の事態が生じた場合であっても、コネクタ端子７０に対して引き抜き方向（図１７、上方向）に移動するコネクタ部４３は、連結部１１４により差し込み方向（図１７、下方向）に付勢される。従って、コネクタ部４３が、コネクタ端子７０より外れることなく、主制御基板３４と配線４５との電気的接続が切断されることがない。
【００５９】
以上、第３実施形態に係るパチンコ機では、付勢部材１１０を支持部材１００に形成された挿入口１０３、１０４に対して挿入することにより、基板ケース３５に支持するとともに、支持された付勢部材１１０は、配線４４、４５のコネクタ部４３がコネクタ端子７０より外れないように差し込み方向（図１７、下方向）にコネクタ部４３を付勢するので、専用の工具等を必要とすることなく、付勢部材１１０を用いて容易にコネクタ部４３が主制御基板より外れることを防止し、配線４４、４５の電気的切断がなされる虞がない。
また、付勢部材１１０は、支持部材１００に支持された際に、配線４４、４５が通過する切欠部１１１を有するので、コネクタ部４３より送出される配線４４、４５に影響されることなく、確実に配線引出面８８を付勢することが可能である。
更に、何らかの原因によって付勢部材１１０が破損した場合であっても、付勢部材１１０のみを交換すればよく、最小限の作業によってその修復が可能となる。
【００６０】
尚、本発明は前記第３実施形態の実施例に限定されるものではなく、本発明の要旨を逸脱しない範囲内で種々の改良、変形が可能であることは勿論である。
例えば、第３実施形態においては、挿入口１０３、１０４に挿入された付勢部材１１０がコネクタ部４３の配線引出面８８に当接されるように構成されているが、付勢部材１１０と配線引出面８８との間には一定の間隙が形成されていても良い。一定の間隙が形成されている場合であっても、その間隔が、コネクタ部４３が引き抜き方向（図１７、上方向）に移動し、付勢部材１１０と配線引出面８８とが当接した際に、コネクタ部４３の電気的接続が維持される距離の間隙であれば、配線４４、４５の電気的切断がなされる虞がないからである。
【００６１】
また、第３実施形態においては、主制御基板３４に接続される配線４４、４５のコネクタ部４３の抜けを防止する為に、基板ケース３５に対して付勢部材１１０を設置したが、電源基板３６に接続された配線４４のコネクタ部４３の抜けを防止する為に電源基板ケース３７に付勢部材１１０を設置しても良い。更には、表示制御基板３１、音制御基板３２等のサブ制御基板に接続される配線のコネクタ部４３を防止するようにセンターカバー３０等に設置しても良い。
【符号の説明】
【００６２】
１                            パチンコ機
２                            外枠
３                            内枠
１８                          機構盤
２０                          機構セット盤
３１                          表示制御基板
３２                          音制御基板
３３                          ランプ制御基板
３４                          主制御基板
３５                          基板ケース
３６                          電源基板
３７                          電源基板ケース
３８                          インターフェース基板
４１                          中継基板
４３                          コネクタ部
４４、４５                    配線
４６、９０、１１０            付勢部材
４７、１００                  支持部材
７６、７７、１０３、１０４    挿入口
８０、９１、１１１            切欠部
９８                          当接片
【図１】
2010046545.tif 000003
【図２】
2010046545.tif 000004
【図３】
2010046545.tif 000005
【図４】
2010046545.tif 000006
【図５】
2010046545.tif 000007
【図６】
2010046545.tif 000008
【図７】
2010046545.tif 000009
【図８】
2010046545.tif 000010
【図９】
2010046545.tif 000011
【図１０】
2010046545.tif 000012
【図１１】
2010046545.tif 000013
【図１２】
2010046545.tif 000014
【図１３】
2010046545.tif 000015
【図１４】
2010046545.tif 000016
【図１５】
2010046545.tif 000017
【図１６】
2010046545.tif 000018
【図１７】
2010046545.tif 000019